(57)【要約】【課題】機械室ファンが異常停止した時に、機械室だけでなく冷蔵庫外殻の温度が過度に高温になるのを防止できる冷蔵庫を提供する。【解決手段】本発明は、機械室１０に圧縮機１１を備え、機械室内の機械を風冷するために機械室ファン２０が設置されている冷蔵庫において、機械室ファンの異常停止を検知し、圧縮機を停止させて機械室温度が高温になり、冷蔵庫外殻も過度に高温になるのを防止する制御装置２１と、圧縮機が停止された時に機械室ファンの異常を表示するファン異常表示器２３を備えたことを特徴とする。【選択図】図５
2009264660.tif 000002
【特許請求の範囲】
【請求項１】
機械室に圧縮機を備え、前記機械室内の機械を風冷するために機械室ファンが設置されている冷蔵庫において、
前記冷蔵庫の周囲の外気温を測定する外気温センサと、
前記機械室ファンの異常停止を検知するファン異常監視手段と、
前記ファン異常監視手段が前記機械室ファンの異常停止を検知し、かつ、前記外気温センサの測定した外気温が所定値よりも高温である時に、前記圧縮機を停止させる制御をする圧縮機制御手段と、
前記圧縮機制御手段により前記圧縮機が停止された時に、機械室ファンの異常を表示するファン異常表示手段とを備えたことを特徴とする冷蔵庫。
【請求項２】
前記機械室の温度を測定する機械室温度センサを備え、
前記圧縮機制御手段は、前記ファン異常監視手段が前記機械室ファンの異常停止を検知し、前記外気温センサの測定した外気温が所定値よりも高温であり、かつ、前記機械室温度センサの測定した機械室温度が所定値よりも高温である時に前記圧縮機を停止させる制御をすることを特徴とする請求項１に記載の冷蔵庫。
【請求項３】
前記圧縮機制御手段は、前記圧縮機を停止させた後に所定時間経過した時に、前記外気温センサの測定する外気温を参照し、前記所定値よりも低くなっていれば前記圧縮機を再起動させる制御をすることを特徴とする請求項１に記載の冷蔵庫。
【請求項４】
機械室にインバータ制御の圧縮機を備え、前記機械室内の機械を風冷するために機械室ファンが設置されている冷蔵庫において、
前記冷蔵庫の周囲の外気温を測定する外気温センサと、
前記機械室ファンの異常停止を検知するファン異常監視手段と、
前記ファン異常監視手段が前記機械室ファンの異常停止を検知し、かつ、前記外気温センサの測定した外気温が所定値よりも高温である時に、前記圧縮機を通常の運転速度よりも低速にて減速運転するように制御する圧縮機制御手段と、
前記圧縮機制御手段により前記圧縮機が減速運転されている時に、機械室ファンの異常を表示するファン異常表示手段とを備えたことを特徴とする冷蔵庫。
【請求項５】
前記圧縮機制御手段は、前記外気温センサの測定した外気温に応じて前記圧縮機の通常運転速度に対する減速度を変化させることを特徴とする請求項４に記載の冷蔵庫。
【請求項６】
前記機械室の温度を測定する機械室温度センサを備え、
前記圧縮機制御手段は、前記ファン異常監視手段が前記機械室ファンの異常停止を検知し、前記外気温センサの測定した外気温が所定値よりも高温であり、かつ、前記機械室温度センサの測定した機械室温度が所定値よりも高温である時に、前記圧縮機を通常の運転速度よりも低速にて減速運転するように制御することを特徴とする請求項４に記載の冷蔵庫。
【請求項７】
前記圧縮機制御手段は、前記圧縮機を減速運転に切り替えた後に所定時間経過した時に、前記外気温センサの測定する外気温を参照し、前記所定値よりも低くなっていれば前記圧縮機を通常の運転速度に戻す制御をすることを特徴とする請求項４に記載の冷蔵庫。
【請求項８】
機械室に一定速運転の圧縮機を備え、前記機械室内の機械を風冷するために機械室ファンが設置されている冷蔵庫において、
前記冷蔵庫の周囲の外気温を測定する外気温センサと、
前記機械室ファンの異常停止を検知するファン異常監視手段と、
前記ファン異常監視手段が前記機械室ファンの異常停止を検知し、かつ、前記外気温センサの測定した外気温が所定値よりも高温である時に、前記圧縮機を通常の運転時間よりも短い時間の断続運転をするように制御する圧縮機制御手段と、
前記圧縮機制御手段により前記圧縮機が断続運転されている時に、機械室ファンの異常を表示するファン異常表示手段とを備えたことを特徴とする冷蔵庫。
【請求項９】
前記圧縮機制御手段は、前記外気温センサの測定した外気温に応じて前記圧縮機の運転時間の短縮の割合を変化させることを特徴とする請求項８に記載の冷蔵庫。
【請求項１０】
前記機械室の温度を測定する機械室温度センサを備え、
前記圧縮機制御手段は、前記機械室温度センサの測定した機械室温度が所定値よりも高温である時に前記圧縮機を断続運転する制御をすることを特徴とする請求項８に記載の冷蔵庫。
【請求項１１】
前記圧縮機制御手段は、前記圧縮機を断続運転に切り替えた後に所定時間経過した時に、前記外気温センサの測定する外気温を参照し、前記所定値よりも低くなっていれば前記圧縮機を通常の連続運転に戻す制御をすることを特徴とする請求項８に記載の冷蔵庫。
【請求項１２】
前記ファン異常監視手段は、機械室ファンの停止時に、所定回数まで再起動をかけ、前記所定回数の再起動によっても前記機械室ファンが再起動しない時に機械室ファンの異常停止と判定し、前記圧縮機制御手段に通知することを特徴とする請求項１，４，８のいずれかに記載の冷蔵庫。
【請求項１３】
前記圧縮機制御手段は、前記ファン異常監視手段が前記機械室ファンの１回目の異常停止を検知した時には前記圧縮機を通常の運転時間よりも短い時間の断続運転にて運転を継続させ、前記ファン異常監視手段が前記機械室ファンの異常停止を連続して所定回数検知した時には前記圧縮機の運転を停止させる制御をすることを特徴とする請求項１，４，８のいずれかに記載の冷蔵庫。
【発明の詳細な説明】
【技術分野】
【０００１】
本発明は、冷蔵庫に関する。
【背景技術】
【０００２】
冷蔵庫の機械室には、狭いスペースであるけれども、運転に伴い発熱する機械類、例えば、圧縮機や凝縮器が設置されている。そのため、発熱する機械類を風冷するためにファンがこの機械室に設置されている。このような機械室ファンも故障により停止することがあるが、停止した状態のまま圧縮機の運転を継続すると圧縮機の温度が上昇し、中の冷媒の温度が上昇して冷蔵庫の外殻に張り巡らされている冷媒配管も過度に上昇し、特に外気温が高い環境の下では冷蔵庫外殻が高温になることがある。
【０００３】
従来、この種の冷蔵庫においては、機械室ファンが故障しあるいはロック状態になって停止した場合、特開２００３−１２１０３２号公報（特許文献１）に記載されているように、庫内食品の腐敗を防止することを優先するために冷蔵庫本来の庫内冷却に必要な圧縮機は低速に切り替えて運転を継続し、圧縮機のオーバーロードリレーの作動を回避する制御をする技術が知られている。しかしながら、このような従来の冷蔵庫の場合、外気温度を考慮せずに機械室ファンの故障にて圧縮機を低速運転に切り替えるので、外気温が比較的に低く、そのために圧縮機の通常の運転を継続しても冷媒温度が過度に高くならないような状況でも低速運転することになり、冷蔵効率を悪くする問題点があった。
【特許文献１】特開２００３−１２１０３２号公報
【発明の開示】
【発明が解決しようとする課題】
【０００４】
本発明は、このような従来技術の問題点に鑑みてなされたもので、機械室ファンが異常停止した時に、機械室やその中の圧縮機の温度だけでなく冷蔵庫外殻の温度が過度に高温になるのを防止できる冷蔵庫を提供することを目的とする。
【課題を解決するための手段】
【０００５】
本発明の１つの特徴は、機械室に圧縮機を備え、前記機械室内の機械を風冷するために機械室ファンが設置されている冷蔵庫において、前記冷蔵庫の周囲の外気温を測定する外気温センサと、前記機械室ファンの異常停止を検知するファン異常監視手段と、前記ファン異常監視手段が前記機械室ファンの異常停止を検知し、かつ、前記外気温センサの測定した外気温が所定値よりも高温である時に、前記圧縮機を停止させる制御をする圧縮機制御手段と、前記圧縮機制御手段により前記圧縮機が停止された時に、機械室ファンの異常を表示するファン異常表示手段とを備えた冷蔵庫である。
【０００６】
本発明の別の特徴は、機械室にインバータ制御の圧縮機を備え、前記機械室内の機械を風冷するために機械室ファンが設置されている冷蔵庫において、前記冷蔵庫の周囲の外気温を測定する外気温センサと、前記機械室ファンの異常停止を検知するファン異常監視手段と、前記ファン異常監視手段が前記機械室ファンの異常停止を検知し、かつ、前記外気温センサの測定した外気温が所定値よりも高温である時に、前記圧縮機を通常の運転速度よりも低速にて減速運転するように制御する圧縮機制御手段と、前記圧縮機制御手段により前記圧縮機が減速運転されている時に、機械室ファンの異常を表示するファン異常表示手段とを備えた冷蔵庫である。
【０００７】
本発明のさらに別の特徴は、機械室に一定速運転の圧縮機を備え、前記機械室内の機械を風冷するために機械室ファンが設置されている冷蔵庫において、前記冷蔵庫の周囲の外気温を測定する外気温センサと、前記機械室ファンの異常停止を検知するファン異常監視手段と、前記ファン異常監視手段が前記機械室ファンの異常停止を検知し、かつ、前記外気温センサの測定した外気温が所定値よりも高温である時に、前記圧縮機を通常の運転時間よりも短い時間の断続運転をするように制御する圧縮機制御手段と、前記圧縮機制御手段により前記圧縮機が断続運転されている時に、機械室ファンの異常を表示するファン異常表示手段とを備えた冷蔵庫である。
【発明の効果】
【０００８】
本発明の冷蔵庫によれば、機械室ファンが異常停止した時には、外気温が所定値よりも高ければ機械室ファンの異常を外部に表示すると共に圧縮機を停止させ、若しくは低速運転あるいは断続運転にするので、機械室ファンが停止しても圧縮機の発熱で機械室の温度が上昇することがなく、結果的に冷媒が高温になるのを防止し、冷蔵庫の外殻を巡る冷媒配管内の冷媒により冷蔵庫の表面が過度に高温になるのを防止できる。
【発明を実施するための最良の形態】
【０００９】
以下、本発明の実施の形態を図に基づいて詳説する。
【００１０】
［第１の実施の形態］
図１に示すように、冷蔵庫１の本体は断熱箱体２で形成し、内部の貯蔵室を冷蔵室４と冷凍室６に区画してある。
【００１１】
冷蔵室４の背面には冷蔵用蒸発器(以下、「Ｒエバ」という。)７と冷却ファン（以下、「Ｒファン」という。）８とを配置し、冷凍室６の背面には冷凍用蒸発器(以下、「Ｆエバ」という。)１４と冷却ファン(以下、「Ｆファン」という。)１３とを配置してある。冷凍室６の下背部に空間を形成して機械室１０が設けてある。この機械室１０には後述するように圧縮機１１、放熱パイプ２５、三方弁１５等が設置されている。
【００１２】
図２に示すように、冷凍サイクルは冷媒を吐出する圧縮機１１と凝縮器１２を順次接続し、その後段に、三方弁１５によって冷凍用のキャピラリチューブ１６とＦエバ１４とを直列接続した配管と、冷蔵用のキャピラリチューブ１７とＲエバ７とを接続した配管とを並列となるように接続し、圧縮機１１の吸入側で合流して接続してある。また、Ｆエバ１４の出口と圧縮機１１の吸込側との間には、逆止弁１８を接続してある。
【００１３】
三方弁１５は、Ｒエバ７側及びＦエバ１４側への冷媒の流し方を、Ｒエバ７及びＦエバ１４双方への流路を開放する全開、Ｒエバ７側のみを開放してＦエバ１４側を閉とするＲ流し、Ｆエバ１４側のみを開放してＲエバ７を閉とするＦ流し、及び双方の流路を閉鎖する全閉の４つのモードに切替えることができる。
【００１４】
この冷凍サイクルには、冷蔵庫の起動時等、冷蔵室４及び冷凍室６の双方の庫内温度が所定温度以上の場合は三方弁１５を全開にし、圧縮機１１から吐出された冷媒を凝縮器１２から三方弁１５に至り、キャピラリチューブ１６，１７に分流してそれぞれＲエバ７及びＦエバ１４の双方で蒸発させて、アキュームレータから吸入管を経て再び圧縮機１１に戻す冷媒循環をおこなう。Ｒエバ７、Ｆエバ１４双方で生成された冷気は、Ｒファン８及びＦファン１３によりそれぞれの室内に吹き出されて貯蔵品を冷却する。
【００１５】
上記冷却作用により冷凍室６が設定温度まで冷却され、冷蔵室４が未だ設定温度まで温度低下していない場合は、三方弁１５が切り替わってＲ流しとなり、冷媒は三方弁１５からＲエバ７側のみに導入される。冷気は、Ｒファン８の運転によって冷蔵室４に導入され、これを冷却する。
【００１６】
冷凍室６のみが設定温度以上の場合は、三方弁１５はＦ流しとなり、圧縮機１１から吐出された冷媒は、凝縮器１２、キャピラリチューブ１６からＦエバ１４で蒸発し、アキュームレータを経由して圧縮機１１に戻され、Ｆエバ１４で生成された冷気がＦファン１３によって冷凍室６に供給され、これを冷却する。
【００１７】
冷蔵室４、冷凍室６がそれぞれ所定温度まで冷却された場合は、庫内の適当な箇所に設置した温度センサがこれを検出して、三方弁１５を切り替えて交互に冷却し、あるいは圧縮機１１や冷却ファン８，１３の運転を停止するように制御される。これらは、制御装置２１により制御する。
【００１８】
図３を用いて、機械室１０の構成について説明する。機械室１０には、圧縮機１１や本体の底面に配設した凝縮器１２への接続管、三方弁１５、キャピラリチューブ１６，１７、放熱パイプ２５等、多くの冷凍サイクル部品や配管を配設してある。そして、機械室１０の内部に外気を取り込み、圧縮機１１、放熱パイプ２５等の発熱部材を風冷するための機械室ファン（以下、「Ｃファン」と称する。）２０がこの機械室１０に設置してある。このＣファン２０も制御装置２１にて制御する。
【００１９】
放熱パイプ２５は、放熱面積を広くとるために凝縮器１２から出て図示していない冷蔵庫１の外殻の天面部や背面部を通した後に機械室１０に戻し、三方弁１５につなげるように配管にしてある。
【００２０】
例えば、冷蔵庫１の据付場所が高温雰囲気中であったり、夏期の高温雰囲気中にあったりして放熱条件が悪い場合、Ｃファン２０の故障等により圧縮機１１が放熱されず高温状態のまま運転を継続すると、機械室１０内の温度が過度に高くなり、冷蔵庫１の外殻の温度も過度に高温となることがある。
【００２１】
図４に、本実施の形態の冷蔵庫における制御装置２１の制御機能のブロック図を示し、図５にＣファン２０の異常停止時に圧縮機１１を制御して冷蔵庫１の外殻が過度に高温になるのを防止する制御機能のフローチャートを示してある。
【００２２】
冷蔵庫１の適所、例えば、機械室１０の背面、天井面若しくは側面に外気温を測定するための外気温センサ２２が設置されていて、外気温測定値を制御装置２１に入力するようにしてある。また冷蔵室４のドアの適所には温度調節のための操作パネルと共に表示器２３が設置されていて、制御装置２１から出力される表示情報を表示するようにしてある。また、制御装置２１は、冷蔵庫１の電源スイッチ２４の操作信号を入力し、圧縮機１１の起動・停止を制御し、機械室１０のＣファン２０の起動・停止を制御すると共にこのＣファン２０の動作を監視し、異常停止を検知するようにしてある。
【００２３】
制御装置２１によるＣファン２０の異常停止時の圧縮機１１の制御動作は、次の通りである。
【００２４】
制御装置２１は、電源ＯＮにて圧縮機１１を起動し、Ｃファン２０を起動し、Ｃファン２０の動作を監視する（ステップＳ１，Ｓ２）。そしてＣファン２０に異常が発生しなければ、通常の運転を継続する（ステップＳ３にてＮＯに分岐）。
【００２５】
Ｃファン２０が異常停止すれば、制御装置２１はこのＣファン２０の再起動をあらかじめ設定した回数Ｎ（例えば、３回）まで繰り返す（ステップＳ３〜Ｓ５）。この繰り返しの時間間隔は、例えば５分に１回、２０分に１回、１時間に１回とするのが好ましい。そしてＮ回までの再起動制御にてＣファン２０が実際に再起動すればＣファン２０は故障ではないと判断し、通常運転に戻る（ステップＳ５でＮＯに分岐し、ステップＳ３でＮＯに分岐）。
【００２６】
しかしながら、Ｃファン２０がＮ回の再起動トライに対しても実際に再起動しなければ、外気温センサ２２の測定する外気温が所定値Ｔｒｅｆ１（＝３１℃）、Ｔｒｅｆ２（＝３３℃）よりも高いか否かを判定する（ステップＳ５でＹＥＳに分岐し、ステップＳ６に進む）。この温度条件は例示したものであり、限定されるものではない。
【００２７】
このステップＳ６において、外気温が所定値Ｔｒｅｆ２よりも高かければ、圧縮機１１を継続して運転していくと機械室１０内が高温になると共に冷蔵庫１の外殻も過度に高温になるのを防止するために圧縮機１１の運転を停止する（ステップＳ６，Ｓ７）。そして、表示器２３にＣファン２０の異常を表示させる（ステップＳ８）。一方、Ｃファン２０が異常停止し、Ｎ回の再起動トライに対しても実際に再起動しなかった場合でも、外気温がＴｒｅｆ１よりも低ければ、圧縮機１１の運転を継続し、庫内食品を引き続け冷却させる（ステップＳ６，Ｓ９）。しかしながら、この場合にもＣファン２０に異常が発生していることは間違いないので、表示器２３にＣファン２０の異常を表示させる（ステップＳ１０）。また、外気温が高くて圧縮機１１をいったん停止させた後でも、外気温が下がってきた場合、外気温がＴｒｅｆ１よりも低くなれば圧縮機１１を再起動して冷却運転を再開する。
【００２８】
表示器２３のＣファン２０の異常告知を見て、ユーザが電源をいったん切った後に入れ直した場合、この操作が通常の入切操作であればユーザの電源再投入操作とみなし、冷蔵庫１の運転を再起動する（ステップＳ１１，Ｓ１２にてＮＯに分岐）。
【００２９】
異常回復のためにユーザが冷蔵庫１の運転を何度か再起動してもＣファン２０の異常が回復しなければメーカに修理依頼することになる。そこで、修理技術者が呼ばれ、冷蔵庫１の点検修理を実施する場合、あらかじめ設定されている電源スイッチ２４の特殊な操作により修理者であることを判断し、点検・修理モードに移行する（ステップＳ１１，Ｓ１２，Ｓ１３）。
【００３０】
これにより、本実施の形態の冷蔵庫１によれば、Ｃファン２０がいったん異常停止した場合でも、制御装置２１はＮ回の再起動を試みることでＣファン２０が本当に故障したのか否かを判定し、Ｎ回の再起動トライの内にＣファン２０の再起動ができれば通常運転を継続するので、Ｃファン２０の異常の判定が確実に行える。
【００３１】
そして、制御装置２１は、Ｎ回の再起動トライによってもＣファン２０が再起動できない場合にはＣファン２０が本当に故障であるとみなす。そして制御装置２１は、この場合には外気温を参照し、外気温が所定温度よりも高いか否かによってＣファン２０が停止したままに圧縮機１１を継続運転してゆけば冷蔵庫１の外殻が過度に高温となりやすい環境であるか否かを判定し、高温環境の下にあれば圧縮機１１を停止させることで、冷蔵庫１の外殻が過度に高温になるのを防止することができる。
【００３２】
尚、本実施の形態にあって、Ｃファン２０の異常停止をＮ回の再起動トライにて確認するようにしたが、これは必要に応じて採用する技術であり、制御の単純化のためには１回の停止検知にて異常停止と判定することようにすることもできる。
【００３３】
また、外気温センサ２２にて外気温が所定温度よりも高温の場合に圧縮機１１を停止させるようにしたが、これに限定されず、Ｃファン２０の異常停止を検知すれば圧縮機１１を停止させる単純な制御を採用することもできる。
【００３４】
［第２の実施の形態］
本発明の第２の実施の形態の冷蔵庫について、図４、図６を用いて説明する。本実施の形態における冷蔵庫１の構造は第１の実施の形態と同様であり、図１〜図３に示したものである。したがって、以下の説明では、第１の実施の形態と共通する要素については共通する符号を用いて説明する。
【００３５】
本実施の形態の特徴は、制御装置２１が行うＣファン２０の異常停止時の圧縮機１１の制御にあり、制御装置２１はＣファン２０が異常停止した時に圧縮機１１を低速回転にして冷凍サイクルの運転を可能な限り継続させ、Ｎ回の再起動トライにてもＣファン２０が再起動しなければ異常故障と見なし、外気温に応じて圧縮機１１を停止させ、冷凍サイクルの運転を打ち切る制御する。
【００３６】
制御装置２１の機能構成は、第１の実施の形態と同様に図４に示したものである。そして、制御装置２１の制御フローは、図６に示したものである。尚、以下では圧縮機１１を低速回転にして運転を継続するという制御は、圧縮機１１がインバータ制御であれば周波数をあらかじめ設定した最低限度の周波数に落として運転することを意味し、他方、圧縮機１１が一定速運転されるものである場合、以下の説明において低速回転に落とす制御に替えて、圧縮機１１の回転をあらかじめ設定した周期で断続運転する制御に切り替えることを意味する。
【００３７】
制御装置２１は、電源ＯＮにて圧縮機１１を起動し、Ｃファン２０を起動し、Ｃファン２０の動作を監視する（ステップＳ１，Ｓ２）。そしてＣファン２０に異常が発生しなければ、通常の運転を継続する（ステップＳ３にてＮＯに分岐）。
【００３８】
Ｃファン２０が異常停止すれば、制御装置２１は圧縮機１１をその回転数を所定値まで落として運転を継続する（ステップＳ３，Ｓ４Ａ）。そして、Ｃファン２０の再起動をあらかじめ設定した回数Ｎまで繰り返す（ステップＳ４Ｂ，Ｓ５）。繰り返し回数Ｎ、繰り返し時間間隔は第１の実施の形態と同様である。そしてＮ回までの再起動制御にてＣファン２０が実際に再起動すればＣファン２０は故障ではないと判断し、通常運転に戻る（ステップＳ５でＮＯに分岐し、ステップＳ３でＮＯに分岐）。
【００３９】
しかしながら、Ｃファン２０がＮ回の再起動トライに対しても実際に再起動しなければ、外気温センサ２２の測定する外気温が所定値Ｔｒｅｆ１（＝３１℃）、Ｔｒｅｆ２（＝３３℃）よりも高いか否かを判定する（ステップＳ５でＹＥＳに分岐し、ステップＳ６に進む）。この温度条件は第１の実施の形態と同様である。
【００４０】
そして、ステップＳ６以降では、第１の実施の形態と同様の制御を実行する。
【００４１】
これにより、この第２の実施の形態の冷蔵庫１によっても第１の実施の形態と同様の作用、効果を奏する。加えて、第２の実施の形態によれば、Ｃファン２０の異常停止を検知した時には、いったん圧縮機１１を所定の低速運転に切り替えて冷凍サイクルの運転を継続しながら、Ｃファン２０の再起動をＮ回まで繰り返しトライするので、この再起動トライの期間中に庫内温度が上昇するのを抑制することができ、庫内の食品の傷みを極力避けることができる利点がある。
【００４２】
尚、第２の実施の形態にあっても、外気温センサ２２にて外気温が高温の場合に圧縮機１１を停止させるようにしたが、これに限定されず、Ｃファン２０の異常停止を検知し、Ｎ回再起動をトライしてもＣファン２０が再起動しない場合には、外気温を考慮することなく圧縮機１１を停止させる制御を採用することもできる。
【００４３】
［第３の実施の形態］
本発明の第３の実施の形態の冷蔵庫について、図４、図７を用いて説明する。本実施の形態における冷蔵庫１の構造は第１の実施の形態と同様であり、図１〜図３に示したものである。したがって、以下の説明では、第１の実施の形態と共通する要素については共通する符号を用いて説明する。
【００４４】
本実施の形態の特徴も、制御装置２１が行うＣファン２０の異常停止時の圧縮機１１の制御にあり、制御装置２１はＣファン２０が異常停止した時にＮ回再起動をトライし、それでもＣファン２０が再起動しなければ異常故障と見なし、外気温に応じて圧縮機１１を停止させ、その後に外気温が低下すれば圧縮機１１を再起動させることで冷凍サイクルの運転を可能な範囲で断続する制御をする。
【００４５】
制御装置２１の機能構成は、第１の実施の形態と同様に図４に示したものである。そして、制御装置２１の制御フローは、図７に示したものである。
【００４６】
制御装置２１は、電源ＯＮにて圧縮機１１を起動し、Ｃファン２０を起動し、Ｃファン２０の動作を監視する（ステップＳ１，Ｓ２）。以降、ステップＳ１〜Ｓ１０の処理は図５に示した第１の実施の形態の処理と同様である。
【００４７】
Ｃファン２０の異常停止を確認し、外気温の高低により圧縮機１１を停止させ、あるいは運転を継続し、表示器２３にＣファン２０の異常を表示させた後も、制御装置２１は外気温の監視を継続する。そして、圧縮機１１を停止させた後、外気温センサ２２の測定した外気温がＴｒｅｆ１以下になれば、圧縮機１１停止からの経過時間を見て、所定時間経過したか否かを判定する（ステップＳ２１，Ｓ２２）。そして、外気温がＴｒｅｆ１以下になり、かつ、圧縮機１１の停止から所定時間が経過していれば、圧縮機１１を再起動させる（ステップＳ２３）。この再起動の際にも、Ｃファン２０の異常は解消されていないので、表示器２３にＣファン２０の異常を表示させる点を継続する（ステップＳ２４）。
【００４８】
圧縮機１１を再起動させた後の制御処理は、図５に示した第１の実施の形態におけるステップＳ１１以降の処理と同様であり、表示器２３のＣファン２０の異常告知を見て、ユーザが電源をいったん切った後に入れ直した場合、この操作が通常の入切操作であればユーザの電源再投入操作とみなし、冷蔵庫１の運転を再起動する（ステップＳ１１，Ｓ１２にてＮＯに分岐）。
【００４９】
異常回復のためにユーザが冷蔵庫１の運転を何度か再起動してもＣファン２０の異常が回復しなければメーカに修理依頼することになる。そこで、修理技術者が呼ばれ、冷蔵庫１の点検修理を実施する場合、あらかじめ設定されている電源スイッチ２４の特殊な操作により修理者であることを判断し、点検・修理モードに移行する（ステップＳ１１，Ｓ１２，Ｓ１３）。
【００５０】
これにより、第３の実施の形態の冷蔵庫１によれば、第１の実施の形態と同様の作用、効果を奏する。加えて、第３の実施の形態によれば、Ｃファン２０が異常停止し、外気温が高いので圧縮機１１を停止した場合でも、その後に外気温がＴｒｅｆ１まで低下し、かつ、圧縮機１１の停止から所定時間が経過していれば圧縮機１１を再起動させて庫内の冷却を再開することで、外気温が高くて圧縮機１１の停止により冷蔵庫１の外殻が過度に高温になるのを防止すると共に、庫内の食品の傷みを極力避けることができる。
【００５１】
尚、本実施の形態にあっても、Ｃファン２０の異常停止をＮ回の再起動トライにて確認するようにしたが、これは必要に応じて採用する技術であり、制御の単純化のためには１回の停止検知にて異常停止と判定することようにすることもできる。
【００５２】
［第４の実施の形態］
本発明の第４の実施の形態の冷蔵庫について、図４、図８を用いて説明する。本実施の形態における冷蔵庫１の構造は第１の実施の形態と同様であり、図１〜図３に示したものである。したがって、以下の説明では、第１の実施の形態と共通する要素については共通する符号を用いて説明する。
【００５３】
本実施の形態の特徴も、制御装置２１が行うＣファン２０の異常停止時の圧縮機１１の制御にあり、制御装置２１はＣファン２０が異常停止した時に圧縮機１１を低速回転にして冷凍サイクルの運転を可能な限り継続させ、Ｎ回の再起動トライにてもＣファン２０が再起動しなければ異常故障と見なし、外気温に応じて圧縮機１１を停止させ、冷凍サイクルの運転をいったん打ち切るが、第３の実施の形態のように、その後も外気温を監視し、外気温が低下し、かつ、圧縮機１１の停止から所定時間が経過していれば圧縮機１１を再起動させて庫内の冷却を再開する制御をする。
【００５４】
制御装置２１の機能構成は、第１の実施の形態と同様に図４に示したものである。そして、制御装置２１の制御フローは、図８に示したものである。尚、以下では圧縮機１１を低速回転にして運転を継続するという制御は、圧縮機１１がインバータ制御であれば周波数をあらかじめ設定した最低限度の周波数に落として運転することを意味し、他方、圧縮機１１が一定速運転されるものである場合、以下の説明において低速回転に落とす制御に替えて、圧縮機１１の回転をあらかじめ設定した周期で断続運転する制御に切り替えることを意味する。
【００５５】
制御装置２１は、電源ＯＮにて圧縮機１１を起動し、Ｃファン２０を起動し、Ｃファン２０の動作を監視する（ステップＳ１，Ｓ２）。このステップＳ２以降、ステップＳ３〜Ｓ１０の処理、またステップＳ１１〜Ｓ１３の処理は、図６に示した第３の実施の形態の処理と共通である。そして、ステップＳ８の後のステップＳ２１〜Ｓ２４の処理は、図７に示した第３の実施の形態の処理と共通である。
【００５６】
これにより、この第４の実施の形態の冷蔵庫１によっても第１の実施の形態と同様の作用、効果を奏する。また第４の実施の形態によれば、第２の実施の形態と同様に、制御装置２１がＣファン２０が異常停止した時に圧縮機１１を低速回転にして冷凍サイクルの運転を可能な限り継続させ、Ｎ回の再起動トライにてもＣファン２０が再起動しなければ異常故障と見なし、外気温に応じて圧縮機１１を停止させ、冷凍サイクルの運転をいったん打ち切るので、この再起動トライの期間中に庫内温度が上昇するのを抑制でき、庫内の食品の傷みを極力避けることができる。
【００５７】
加えて、第４の実施の形態によれば、第３の実施の形態のように、Ｃファン２０の異常時に外気温が高温であれば圧縮機１１の運転をいったん停止するが、その後も外気温を監視し、外気温が低下し、かつ、圧縮機１１の停止から所定時間が経過していれば圧縮機１１を再起動させて庫内の冷却を再開する制御をするので、この点でも、第３の実施の形態と同様に、外気温が高くて圧縮機１１の停止により冷蔵庫１の外殻が過度に高温になるのを防止すると共に、庫内の食品の傷みを極力避けることができる。
【００５８】
［第５の実施の形態］
本発明の第５の実施の形態の冷蔵庫について、図４、図９を用いて説明する。本実施の形態における冷蔵庫１の構造は第１の実施の形態と同様であり、図１〜図３に示したものである。したがって、以下の説明では、第１の実施の形態と共通する要素については共通する符号を用いて説明する。
【００５９】
本実施の形態の特徴も、制御装置２１が行うＣファン２０の異常停止時の圧縮機１１の制御にあり、制御装置２１はＣファン２０が異常停止した時に圧縮機１１をＮ回再起動トライしてもＣファン２０が再起動しなければ異常故障と見なし、外気温に応じて圧縮機１１の回転速度を変化させる制御をする。ただし、本実施の形態の場合、図６に示した第２の実施の形態における制御装置２１の圧縮機１１に対する制御に対して、さらに、外気温に２段階の比較基準値Ｔｒｅｆ１（＝３１℃）／Ｔｒｅｆ２（＝３３℃）と、Ｔｒｅｆ３（＝３５℃）／Ｔｒｅｆ４（＝３７℃）を設定している点が異なる。
【００６０】
制御装置２１の機能構成は、第１の実施の形態と同様に図４に示したものである。そして、制御装置２１の制御フローは、図９に示したものである。尚、以下では圧縮機１１を低速回転にして運転を継続するという制御は、圧縮機１１がインバータ制御であれば周波数をあらかじめ設定した最低限度の周波数に落として運転することを意味し、他方、圧縮機１１が一定速運転されるものである場合、以下の説明において低速回転に落とす制御に替えて、圧縮機１１の回転をあらかじめ設定した周期で断続運転する制御に切り替えることを意味する。
【００６１】
制御装置２１は、電源ＯＮにて圧縮機１１を起動し、Ｃファン２０を起動し、Ｃファン２０の動作を監視する（ステップＳ１，Ｓ２）。そしてＣファン２０に異常が発生しなければ、通常の運転を継続する（ステップＳ３にてＮＯに分岐）。
【００６２】
Ｃファン２０が異常停止すれば、制御装置２１はＣファン２０の再起動をあらかじめ設定した回数Ｎまで繰り返す（ステップＳ４，Ｓ５）。繰り返し回数Ｎ、繰り返し時間間隔は第１の実施の形態と同様である。そしてＮ回までの再起動制御にてＣファン２０が実際に再起動すればＣファン２０は故障ではないと判断し、通常運転に戻る（ステップＳ５でＮＯに分岐し、ステップＳ３でＮＯに分岐）。
【００６３】
しかしながら、Ｃファン２０がＮ回の再起動トライに対しても実際に再起動しなければ、外気温センサ２２の測定する外気温が第１の基準値Ｔｒｅｆ１（＝３１℃）／Ｔｒｅｆ２（＝３３℃）よりも高いか否かを判定する（ステップＳ５でＹＥＳに分岐し、ステップＳ６に進む）。この温度条件は第１の実施の形態と同様である。そして、外気温が第１の基準値Ｔｒｅｆ１／Ｔｒｅｆ２よりも低ければ、Ｃファン２０の異常停止によって機械室１０の風冷が停止し、しかも圧縮機１１を継続して運転しても機械室１０が過度に高温度にならず、また冷蔵庫１の外殻温度も過度に高温にはならないので、圧縮機１１の通常の運転を継続し、かつ、表示器２３にＣファン２０の異常停止を表示させて使用者に告知するようにする（ステップＳ６にてＮＯに分岐、ステップＳ９，Ｓ１０）。
【００６４】
ステップＳ６にて、外気温が第１の基準値Ｔｒｅｆ１（＝３１℃）／Ｔｒｅｆ２（＝３３℃）よりも高かければ、圧縮機１１の通常運転を継続すると機械室１０内が高温になりやすいので、ステップＳ７Ａ〜Ｓ７Ｃの制御を行う。すなわち、Ｃファン２０が異常停止した状態でも、外気温が第２の基準値Ｔｒｅｆ３／Ｔｒｅｆ４よりも低ければ、機械室１０内が高温になり、さらに冷蔵庫１の外殻温度が過度に高温になるという環境ではないので、圧縮機１１をそれまでと同様に通常運転速度Ｒ１を維持する（ステップＳ７Ａ，Ｓ７Ｂ）。この場合、Ｃファン２０の停止により、通常であれば温度上昇の防止のために圧縮機１１により高速度Ｒ２（＞Ｒ１）で回転させることが必要であるが、Ｒ１の回転速度を維持し、庫内の食品の傷みを極力避けるようにする。
【００６５】
一方、Ｃファン２０が異常停止した状態で、外気温が第２の基準値Ｔｒｅｆ３／Ｔｒｅｆ４よりも高ければ、機械室１０内が高温になり、さらに冷蔵庫１の外殻温度が過度に高温になるので、庫内食品の傷みを極力避けるために圧縮機１１を継続的に運転させるが、その回転速度を低速度Ｒ３（＜Ｒ１）まで落として運転する（ステップＳ７Ａ，Ｓ７Ｃ）。そして、これらのいずれの場合にも、表示器２３にＣファン２０の異常停止を表示させる（ステップＳ８）。
【００６６】
この後、ステップＳ１１以降の処理は、第１の実施の形態と同様であり、異常回復のためにユーザが冷蔵庫１の運転を何度か再起動してもＣファン２０の異常が回復しなければメーカに修理依頼することになる。そこで、修理技術者が呼ばれ、冷蔵庫１の点検修理を実施する場合、あらかじめ設定されている電源スイッチ２４の特殊な操作により修理者であることを判断し、点検・修理モードに移行する（ステップＳ１１，Ｓ１２，Ｓ１３）。
【００６７】
これにより、この第５の実施の形態の冷蔵庫１によっても第１の実施の形態と同様の作用、効果を奏する。加えて、第５の実施の形態によれば、外気温の基準を２段階に分け、外気温が３５℃を超えるような高温環境では圧縮機１１をある程度の速度にて運転継続して庫内温度が上昇するのを抑制し、外気温がさらに高温度になれば圧縮機１１の回転速度をさらに絞ることで冷凍サイクルの最低限の能力での運転を継続し、ひいては冷蔵庫の外殻の過度の温度上昇を防止すると共に、庫内の食品の傷みも極力避ける運転ができる。
【００６８】
［第６の実施の形態］
本発明の第６の実施の形態の冷蔵庫について、図１０、図１１を用いて説明する。本実施の形態における冷蔵庫１の構造は第１の実施の形態と同様であり、図１〜図３に示したものである。したがって、以下の説明では、第１の実施の形態と共通する要素については共通する符号を用いて説明する。
【００６９】
本実施の形態の特徴は、図１０に示したように機械室１０内に室内の温度を測定する機械室温度センサ２６を設置し、制御装置２１が行うＣファン２０の異常停止時の圧縮機１１の制御に外気温センサ２２の計測定度と共にこの機械室温度センサ２６の計測定度を参照して行う点にある。すなわち、制御装置２１はＣファン２０が異常停止した時に圧縮機１１をＮ回再起動トライにてもＣファン２０が再起動しなければ異常故障と見なし、外気温が高温で、しかも機械室温度も高温である場合圧縮機１１の回転速度を低速に切り替え、あるいは停止させる制御をする。尚、機械室センサ２６は機械室において発熱部品である圧縮機１１や放熱パイプ２５の近傍に設置するのが好ましい。
【００７０】
制御装置２１の機能構成は、図１０に示したものである。そして、制御装置２１の制御フローは、図１１に示したものである。制御装置２１は、電源ＯＮにて圧縮機１１を起動し、Ｃファン２０を起動し、Ｃファン２０の動作を監視する（ステップＳ１，Ｓ２）。そしてＣファン２０に異常が発生しなければ、通常の運転を継続する（ステップＳ３にてＮＯに分岐）。
【００７１】
Ｃファン２０が異常停止すれば、制御装置２１はＣファン２０の再起動をあらかじめ設定した回数Ｎまで繰り返す（ステップＳ４，Ｓ５）。繰り返し回数Ｎ、繰り返し時間間隔は第１の実施の形態と同様である。そしてＮ回までの再起動制御にてＣファン２０が実際に再起動すればＣファン２０は故障ではないと判断し、通常運転に戻る（ステップＳ５でＮＯに分岐し、ステップＳ３でＮＯに分岐）。
【００７２】
しかしながら、Ｃファン２０がＮ回の再起動トライに対しても実際に再起動しなければ、外気温センサ２２の測定する外気温が所定値Ｔｒｅｆ１（＝３１℃）／Ｔｒｅｆ２（＝３３℃）よりも高いか否かを判定する（ステップＳ５でＹＥＳに分岐し、ステップＳ６に進む）。この温度条件は第１の実施の形態と同様である。そして、外気温が所定値Ｔｒｅｆ１／Ｔｒｅｆ２よりも低ければ、Ｃファン２０の異常停止によって機械室１０の風冷が停止し、しかも圧縮機１１を継続して運転しても機械室１０が過度に高温度にならず、また冷蔵庫１の外殻温度も過度に高温にはならないので、圧縮機１１の通常の運転を継続し、かつ、表示器２３にＣファン２０の異常停止を表示させて使用者に告知するようにする（ステップＳ６にてＮＯに分岐、ステップＳ９，Ｓ１０）。
【００７３】
ステップＳ６にて、外気温が所定値Ｔｒｅｆ１／Ｔｒｅｆ２よりも高かければ、さらに機械室温度を参照し、機械室温度が過度に高温になっていれば圧縮機１１を停止させることで機械室１０内が高温になり、さらに冷蔵庫１の外殻温度が過度に高温になるのを防止する（ステップＳ６，Ｓ３１，Ｓ３２）。そして、表示器２３にＣファン２０の異常停止を表示させて使用者に告知する（ステップＳ８）。
【００７４】
この後、ステップＳ１１以降の処理は、第１の実施の形態と同様であり、異常回復のためにユーザが冷蔵庫１の運転を何度か再起動してもＣファン２０の異常が回復しなければメーカに修理依頼することになる。そこで、修理技術者が呼ばれ、冷蔵庫１の点検修理を実施する場合、あらかじめ設定されている電源スイッチ２４の特殊な操作により修理者であることを判断し、点検・修理モードに移行する（ステップＳ１１，Ｓ１２，Ｓ１３）。
【００７５】
これにより、この第６の実施の形態の冷蔵庫１によっても第１の実施の形態と同様の作用、効果を奏する。加えて、第６の実施の形態によれば、機械室１０内に室内の温度を測定する機械室温度センサ２６を設置し、制御装置２１が行うＣファン２０の異常停止時の圧縮機１１の制御に外気温センサ２２の計測定度と共にこの機械室温度センサ２６の計測定度を参照して行い、外気温が高温でしかも機械室温度も高温である場合に圧縮機１１の回転速度を停止させる制御をすることで、冷蔵庫の外殻が確実に過度に温度上昇する場合に限り圧縮機１１を停止させてそのように過度に高温になるのを防止することができる。
【００７６】
尚、上では圧縮機１１を停止させる制御をする場合について説明したが、これに替えて、圧縮機１１を低速回転にして運転を継続する制御をするようにすることもできる。そしてその場合、圧縮機１１がインバータ制御であれば周波数をあらかじめ設定した最低限度の周波数に落として運転することで低速運転とする。他方、圧縮機１１が一定速運転されるものである場合、以下の説明において低速回転に落とす制御に替えて、圧縮機１１の回転をあらかじめ設定した周期で断続運転する制御をすることになる。
【図面の簡単な説明】
【００７７】
【図１】本発明の第１の実施の形態の冷蔵庫の断面図。
【図２】上記実施の形態の冷蔵庫の冷凍サイクル図。
【図３】上記実施の形態の冷蔵庫の機械室内部の斜視図。
【図４】上記実施の形態の冷蔵庫における制御装置のブロック図。
【図５】上記実施の形態の冷蔵庫における制御装置の制御動作のフローチャート。
【図６】本発明の第２実施の形態の冷蔵庫における制御装置の制御動作のフローチャート。
【図７】本発明の第３の実施の形態の冷蔵庫における制御装置の制御動作のフローチャート。
【図８】本発明の第４の実施の形態の冷蔵庫における制御装置の制御動作のフローチャート。
【図９】本発明の第５の実施の形態の冷蔵庫における制御装置の制御動作のフローチャート。
【図１０】本発明の第６の実施の形態の冷蔵庫における制御装置のブロック図。
【図１１】上記実施の形態の冷蔵庫における制御装置の制御動作のフローチャート。
【符号の説明】
【００７８】
１  冷蔵庫
２  冷蔵庫本体
４  冷蔵室
６  冷凍室
７  冷蔵用蒸発器（Ｒエバ）
８  冷蔵用冷却ファン（Ｒファン）
１０  機械室
１１  圧縮機
１２  凝縮器
１３  冷凍用冷却ファン（Ｆファン）
１４  冷凍用蒸発器（Ｆエバ）
１５  三方弁
２０  機械室ファン（Ｃファン）
２１  制御装置
２２  外気温センサ
２３  表示器
２４  電源スイッチ
２６  機械室温度センサ
【図１】
2009264660.tif 000003
【図２】
2009264660.tif 000004
【図３】
2009264660.tif 000005
【図４】
2009264660.tif 000006
【図５】
2009264660.tif 000007
【図６】
2009264660.tif 000008
【図７】
2009264660.tif 000009
【図８】
2009264660.tif 000010
【図９】
2009264660.tif 000011
【図１０】
2009264660.tif 000012
【図１１】
2009264660.tif 000013